(57)【特許請求の範囲】
【請求項１】
下部構造物に固定される下沓と、上部構造物に固定される上沓とで構成されるとともに、前記下沓、及び前記上沓の接触面が摺動可能な摺動面で構成された滑り支承装置における前記下沓、及び前記上沓を、複数箇所で連結して仮固定するための滑り支承用仮固定金具であって、
前記下沓の被固定部に固定される第１固定部を一端に有し、他端に略平板状の第１平板部を有する第１固定部材と、
前記上沓の被固定部に固定される第２固定部を一端に有し、他端に略平板状の第２平板部を有する第２固定部材と、
前記第１平板部、及び前記第２平板部を連結するとともに、前記摺動面に対して略平行な方向に沿って前記第１固定部、及び前記第２固定部の間隔を調整可能な連結手段とを備え、
前記第１固定部材の前記第１平板部が、
前記第１固定部に対して上沓側へオフセットした位置に形成された
滑り支承用仮固定金具。
【請求項２】
下部構造物に固定される下沓と、上部構造物に固定される上沓とで構成されるとともに、前記下沓、及び前記上沓の接触面が摺動可能な摺動面で構成された滑り支承装置における前記下沓、及び前記上沓を、複数箇所で連結して仮固定するための滑り支承用仮固定金具であって、
前記下沓の被固定部に固定される第１固定部を一端に有し、他端に略平板状の第１平板部を有する第１固定部材と、
前記上沓の被固定部に固定される第２固定部を一端に有し、他端に略平板状の第２平板部を有する第２固定部材と、
前記第１平板部、及び前記第２平板部を連結するとともに、前記摺動面に対して略平行な方向に沿って前記第１固定部、及び前記第２固定部の間隔を調整可能な連結手段とを備え、
前記第１固定部材、及び前記第２固定部材を、
前記第１平板部と前記第２平板部とが重合可能な形状に形成された構成とし、
前記連結手段を、
前記第１平板部に開口形成された第１挿通孔と、
前記第２平板部に開口形成された第２挿通孔と、
前記第１挿通孔、及び前記第２挿通孔を介して、前記第１固定部材、及び前記第２固定部材を締結固定するボルト及びナットとで構成した
滑り支承用仮固定金具。
【請求項３】
前記第１挿通孔を、
前記摺動面に対して略平行な方向へ所定間隔を隔てて少なくとも３つ備え、
前記第２挿通孔を、
前記摺動面に対して略平行な方向へ所定間隔を隔てて少なくとも３つ備え、
前記第１平板部と前記第２平板部とが、
前記第１挿通孔、及び前記第２挿通孔を介して、二組の前記ボルト及び前記ナットで締結固定された
請求項２に記載の滑り支承用仮固定金具。
【請求項４】
下部構造物に固定される下沓と、上部構造物に固定される上沓とで構成されるとともに、前記下沓、及び前記上沓の接触面が摺動可能な摺動面で構成された滑り支承装置における前記下沓、及び前記上沓を、複数箇所で連結して仮固定するための滑り支承用仮固定金具であって、
前記下沓の被固定部に固定される第１固定部を一端に有し、他端に略平板状の第１平板部を有する第１固定部材と、
前記上沓の被固定部に固定される第２固定部を一端に有し、他端に略平板状の第２平板部を有する第２固定部材と、
前記第１平板部、及び前記第２平板部を連結するとともに、前記摺動面に対して略平行な方向に沿って前記第１固定部、及び前記第２固定部の間隔を調整可能な連結手段とを備え、
前記連結手段に、
一端が前記第１固定部材の前記第１平板部に連結されるとともに、他端が前記第２固定部材の前記第２平板部に連結された略平板状の中間部材を備えた
滑り支承用仮固定金具。
【請求項５】
前記第１平板部、及び前記第２平板部が、
前記摺動面に対して略直交する方向に厚みを有する略平板状に形成された
請求項１乃至４のうちいずれか１つに記載の滑り支承用仮固定金具。
【請求項６】
請求項１から請求項５のいずれか１つに記載の滑り支承用仮固定金具と、
下部構造物に固定される下沓と、
上部構造物に固定される上沓とで構成され、
前記下沓と前記上沓との相対位置が所望される位置に調整された状態において、前記下沓と前記上沓とが複数の前記滑り支承用仮固定金具で連結された
滑り支承装置。
【発明の詳細な説明】
【技術分野】
【０００１】
この発明は、例えば免震構造などに用いられる滑り支承装置を運搬する際、下沓と上沓とを連結して、下沓に対する上沓の相対移動を規制するような滑り支承用仮固定金具、これを用いた滑り支承装置、及び滑り支承装置の仮固定方法に関する。
【背景技術】
【０００２】
従来、例えば、橋梁の橋脚と主桁との間、あるいは高層ビルの基礎部分と建物部分との間などには、橋脚や基礎部分などの下部構造物に固定される下沓と、主桁や建物部分などの上部構造物に固定される上沓とで構成されるとともに、下沓と上沓との接触面を摺動面として、下沓と上沓とが摺動可能に構成された滑り支承装置が配設されている（特許文献１参照）。
【０００３】
このような滑り支承装置は、下部構造物に対して上部構造物の相対位置がずれないように、下沓に対する上沓の相対位置が定められている。このため、滑り支承装置は、予め下沓に対する上沓の相対位置が調整された状態で、出荷及び運搬されることが多い。
【０００４】
そこで、下沓に対する上沓の相対位置が調整された状態において、下沓と上沓とを連結して仮固定するための滑り支承用仮固定金具が提案されている。  
例えば、特許文献１には、ベースポット２（上沓）の側面、及びベースプレート３（下沓）の側面に螺合する仮固定ボルト１０が挿通可能な貫通孔８を有するフランジを、断面Ｔ字状の本体部５の両端に備えた仮固定金具１（滑り支承用仮固定金具）が記載されている。
【０００５】
この仮固定金具１により、特許文献１では、滑り支承装置を出荷及び運搬する際、下沓に対して上沓が摺動することを規制でき、下沓に対する上沓の相対位置を合わせた状態を維持することができるとされている。
【０００６】
さらに、特許文献１の仮固定金具１には、フランジに螺合した位置調整ボルト１４によって、上沓の側面を押圧する上部支圧板１１と、下沓の側面を押圧する下部支圧板１２とを備えている。このため、特許文献１の仮固定金具１は、位置調整ボルト１４の回動によって、下沓に対する上沓の相対位置を微調整可能にしている。
【０００７】
ところで、滑り支承装置は、例えば、下沓に対する上沓の相対位置を異ならせることで、別の上部構造物にも固定できることがある。つまり、異なる上部構造物及び下部構造物であっても、下沓と上沓との相対位置を異ならせるだけで、滑り支承装置を共用できることがある。このような滑り支承装置の場合、上部構造物及び下部構造物に応じた相対位置に調整された状態で、下沓と上沓とが仮固定される。
【０００８】
しかしながら、この場合、滑り支承用仮固定金具が固定される上沓の被固定部と下沓の被固定部との間隔が、下沓と上沓との相対位置によって異なる間隔となる。このため、従来の滑り支承用仮固定金具では、下沓と上沓との相対位置が異なる滑り支承装置における下沓と上沓との連結に共用することができず、上沓の被固定部と下沓の被固定部との間隔に応じた複数種類の滑り支承用仮固定金具を用意する必要があった。
【先行技術文献】
【特許文献】
【０００９】
【特許文献１】特開２０１１−１８５０１２号公報
【発明の概要】
【発明が解決しようとする課題】
【００１０】
本発明は、上述の問題に鑑み、上沓の被固定部と下沓の被固定部との間隔が異なる滑り支承装置における上沓、及び下沓の連結に共用できる滑り支承用仮固定金具、これを用いた滑り支承装置、及び滑り支承装置の仮固定方法を提供することを目的とする。
【課題を解決するための手段】
【００１１】
この発明は、下部構造物に固定される下沓と、上部構造物に固定される上沓とで構成されるとともに、前記下沓、及び前記上沓の接触面が摺動可能な摺動面で構成された滑り支承装置における前記下沓、及び前記上沓を、複数箇所で連結して仮固定するための滑り支承用仮固定金具であって、前記下沓の被固定部に固定される第１固定部を一端に有し、他端に略平板状の第１平板部を有する第１固定部材と、前記上沓の被固定部に固定される第２固定部を一端に有し、他端に略平板状の第２平板部を有する第２固定部材と、前記第１平板部、及び前記第２平板部を連結するとともに、前記摺動面に対して略平行な方向に沿って前記第１固定部、及び前記第２固定部の間隔を調整可能な連結手段とを備えたことを特徴とする。
【００１２】
上記下沓の被固定部、及び上沓の被固定部は、下沓と上沓との対向面に形成された被固定部、あるいは上沓、及び下沓の側面に形成された被固定部などとすることができる。  
上記第１平板部、及び上記第２平板部は、滑り支承装置の摺動面に対して略直交する方向に厚みを有する平板、または滑り支承装置の摺動面に対して略平行な方向に厚みを有する平板などとすることができる。
【００１３】
上記連結手段は、第１平板部、及び第２平板部に開口形成した複数の挿通孔と、挿通孔に挿通するボルトと、ボルトが螺合するナットとすることができる。なお、ボルトとしては、六角ボルト、スタッドボルト、アイボルト、またはＵボルトなどとすることができる。  
あるいは、連結手段は、第１平板部、及び第２平板部の対向面部分に形成した凹凸部分と、凹凸部分が係合した状態の第１平板部、及び第２平板部を保持する保持部材などとすることができる。
【００１４】
この発明により、上沓の被固定部と下沓の被固定部との間隔が異なる滑り支承装置における上沓、及び下沓の連結に共用することができる。  
具体的には、第１平板部と第２平板部を連結する連結手段により、滑り支承用仮固定金具は、摺動面に交差する方向における第１固定部と第２固定部との間隔を変化させることなく、摺動面に略平行な方向における第１固定部と第２固定部との間隔を容易に調整することができる。
【００１５】
さらに、下沓の被固定部と上沓の被固定部との間隔は、例えば、摺動面に対して交差する交差方向に比べて、摺動面に対して略平行な方向のほうがより正確に計測し易い。  
このため、例えば、摺動面に対して交差する交差方向に沿って第１固定部と第２固定部との間隔を調整可能な連結手段の場合、滑り支承用仮固定金具における第１固定部と第２固定部との間隔を、所望される間隔に調整し難いという問題があった。
【００１６】
これに対して、摺動面に略平行な方向に沿って第１固定部と第２固定部との間隔を調整できるため、連結手段は、第１固定部と第２固定部との間隔を所望される間隔に、正確、かつ容易に調整することができる。
【００１７】
これにより、滑り支承用仮固定金具は、上沓の被固定部と下沓の被固定部との間隔が異なる滑り支承装置に対して適用できるだけでなく、滑り支承装置の上沓と下沓とを所望される相対位置で連結することができる。
【００１８】
さらにまた、例えば、滑り支承装置の摺動面に略平行な方向に厚みを有する第１平板部と第２平板部とをボルト及びナットで締結固定した構成の場合、滑り支承用仮固定金具は、摺動面に対して略直交する方向を回転軸とする上沓の回動方向に対して、第１平板部と第２平板部との対向面部分を交差させることができる。
【００１９】
このため、車両やクレーンなどを用いて滑り支承装置を運搬する際、回動方向への上沓の荷重が連結手段に加わった場合であっても、滑り支承用仮固定金具は、座面すべりによるボルト及びナットの緩みを防止することができる。
【００２０】
従って、滑り支承用仮固定金具は、下沓に固定される第１固定部と、上沓に固定される第２固定部との間隔を調整できる連結手段により、上沓の被固定部と下沓の被固定部との間隔が異なる滑り支承装置における上沓、及び下沓の連結に共用することができる。
【００２１】
この発明の態様として、前記第１平板部、及び前記第２平板部が、前記摺動面に対して略直交する方向に厚みを有する略平板状に形成された構成とすることができる。  
この発明により、滑り支承用仮固定金具は、上部構造物及び下部構造物に滑り支承装置が固定されるまで、上沓と下沓とが連結された連結状態を維持することができる。
【００２２】
具体的には、例えば、滑り支承装置の摺動面に略平行な方向に厚みを有する略平板状の第１平板部の端部、及び第２平板部の端部が、上沓よりも上部構造物側へ突出している場合、第１平板部の端部、及び第２平板部の端部が上部構造物に干渉するため、滑り支承用仮固定金具は、上部構造物に上沓が固定されるまで、上沓と下沓とが連結された連結状態を維持することができない。
【００２３】
これに対して、滑り支承装置の摺動面に対して略直交する方向に厚みを有する略平板状の第１平板部、及び第２平板部としたことにより、滑り支承用仮固定金具は、上沓よりも上部構造物側へ第１平板部及び第２平板部が突出することを抑制できる。
【００２４】
このため、滑り支承用仮固定金具は、第１平板部及び第２平板部と、上部構造物との干渉を防止でき、上部構造物及び下部構造物への滑り支承装置の固定を阻害することがない。  
従って、滑り支承用仮固定金具は、摺動面に対して略直交する方向に厚みを有する略平板状の第１平板部、及び第２平板部により、上部構造物及び下部構造物に滑り支承装置が固定されるまで、上沓と下沓とが連結された連結状態を維持することができる。
【００２５】
またこの発明の態様として、前記第１固定部材の前記第１平板部が、前記第１固定部に対して上沓側へオフセットした位置に形成された構成とすることができる。  
上記第１平板部が上沓側へオフセットした形状とは、例えば、クランク状に屈曲した形状、あるいはＺ字状に屈曲した形状などをいう。
【００２６】
この発明により、滑り支承用仮固定金具は、下沓と第１平板部との間に所定の空間を確保することができる。このため、滑り支承用仮固定金具は、下沓と上沓とを連結した状態における第１固定部、及び第２固定部の間隔の調整にかかる作業空間を容易に確保することができる。
【００２７】
あるいは、例えば、摺動面に対して略直交する方向に厚みを有する略平板状の第２固定部材が、下沓と対向する上沓の面に固定される場合、滑り支承用仮固定金具は、第２固定部材の着脱にかかる作業空間を確保することができる。  
これにより、滑り支承用仮固定金具は、連結手段による第１固定部と第２固定部との間隔の調整、及び第２固定部材の着脱にかかる作業性を向上することができる。
【００２８】
加えて、摺動面に略直交する方向における第１固定部と第１平板部との間隔が異なる第１固定部材に交換することで、滑り支承用仮固定金具は、摺動面に略平行な方向だけでなく、摺動面に略直交する方向における第１固定部と第２固定部との間隔を容易に調整することができる。
【００２９】
さらにまたは、例えば、摺動面に対して略直交する方向に厚みを有する略平板状の第２固定部材とした場合、滑り支承用仮固定金具は、クランク状に屈曲した第１固定部材と、クランク状に屈曲した第２固定部材と、連結手段とで構成された滑り支承用仮固定金具に比べて、第２固定部材の屈曲箇所を低減することができる。
【００３０】
これにより、滑り支承用仮固定金具は、第２固定部材の剛性を向上することができる。このため、滑り支承用仮固定金具は、例えば車両やクレーンなどを用いた運搬に伴う揺動によって上沓の荷重が加わった際、第２固定部材に変形が生じることを防止できる。
【００３１】
従って、滑り支承用仮固定金具は、作業性の向上と、第２固定部材の剛性の向上とを両立できるとともに、摺動面に略直交する方向における上沓の被固定部と下沓の被固定部との間隔が異なる滑り支承装置の上沓、及び下沓の連結にも共用することができる。
【００３２】
またこの発明の態様として、前記第１固定部材、及び前記第２固定部材を、前記第１平板部と前記第２平板部とが重合可能な形状に形成された構成とし、前記連結手段を、前記第１平板部に開口形成された第１挿通孔と、前記第２平板部に開口形成された第２挿通孔と、前記第１挿通孔、及び前記第２挿通孔を介して、前記第１固定部材、及び前記第２固定部材を締結固定するボルト及びナットとで構成することができる。
【００３３】
上記第１挿通孔、及び上記第２挿通孔は、略円形状、または摺動面に略平行な方向に長い略長楕円形状などとすることができる。さらに、第１挿通孔、及び第２挿通孔は、摺動面に略平行な方向に沿って所定間隔を隔てて複数設けることができる。
【００３４】
この発明により、滑り支承用仮固定金具は、第１平板部と第２平板部との連結を容易にするだけでなく、第１固定部と第２固定部との間隔の調整をより容易することができる。
【００３５】
さらに、連結手段は、摺動面に略平行な方向における第１固定部と第２固定部との間隔を、複数の滑り支承用仮固定金具の間で略同一にすることができる。このため、例えば、下沓の略中央に上沓を配置する際、滑り支承用仮固定金具は、所望される相対位置で上沓と下沓とを容易に連結することができる。
【００３６】
従って、滑り支承用仮固定金具は、摺動面に略平行な方向における第１固定部と第２固定部との間隔をより容易に調整できるとともに、下沓と上沓との相対位置のズレをより抑制して、上沓と下沓とを連結することができる。
【００３７】
またこの発明の態様として、前記第１挿通孔を、前記摺動面に対して略平行な方向へ所定間隔を隔てて少なくとも３つ備え、前記第２挿通孔を、前記摺動面に対して略平行な方向へ所定間隔を隔てて少なくとも３つ備え、前記第１平板部と前記第２平板部とが、前記第１挿通孔、及び前記第２挿通孔を介して、二組の前記ボルト及び前記ナットで締結固定された構成とすることができる。
【００３８】
この発明により、滑り支承用仮固定金具は、二組のボルトが挿通する第１挿通孔と第２挿通孔との組合せを変えることで、摺動面に略平行な方向における第１固定部と第２固定部との間隔を切替えるようにして容易に調整することができる。
【００３９】
またこの発明の態様として、前記連結手段に、一端が前記第１固定部材の前記第１平板部に連結されるとともに、他端が前記第２固定部材の前記第２平板部に連結された略平板状の中間部材を備えることができる。
【００４０】
この発明により、滑り支承用仮固定金具は、例えば、滑り支承装置の摺動面に略平行な方向における長さの異なる中間部材に交換することで、摺動面に略平行な方向における第１固定部と第２固定部との間隔をより容易に調整することができる。
【００４１】
またこの発明は、上述した滑り支承用仮固定金具と、下部構造物に固定される下沓と、上部構造物に固定される上沓とで構成され、前記下沓と前記上沓との相対位置が所望される位置に調整された状態において、前記下沓と前記上沓とが複数の前記滑り支承用仮固定金具で連結された滑り支承装置、及び滑り支承装置の仮固定方法であることを特徴とする。  
この発明により、下沓と上沓との相対位置が所望される位置に調整された状態において、下沓と上沓とが仮固定された滑り支承装置を構成することができる。
【発明の効果】
【００４２】
本発明により、上沓の被固定部と下沓の被固定部との間隔が異なる滑り支承装置における上沓、及び下沓の連結に共用できる滑り支承用仮固定金具、これを用いた滑り支承装置、及び滑り支承装置の仮固定方法を提供することができる。
【図面の簡単な説明】
【００４３】
【図１】上部構造物、及び下部構造物に固定された状態の滑り支承装置を示す正面図。
【図２】上方視における上沓、及び下沓の外観を示す外観斜視図。
【図３】下方視における上沓の外観を示す外観斜視図。
【図４】上沓が第１の所定位置に位置する場合における滑り支承装置の平面視を示す平面図。
【図５】上沓が第２の所定位置に位置する場合における滑り支承装置の平面視を示す平面図。
【図６】上沓が第１の所定位置に位置する場合における滑り支承装置の正面視を示す正面図。
【図７】第１の固定部間隔における仮固定金具の分解状態を示す分解斜視図。
【図８】第２の固定部間隔における仮固定金具の分解状態を示す分解斜視図。
【図９】長手方向における第１固定部と第２固定部との間隔を説明する説明図。
【図１０】第１固定部材、及び第２固定部材が異なる別の仮固定金具を説明する説明図。
【図１１】連結手段が異なる別の仮固定金具を説明する説明図。
【図１２】第１平板部、及び第２平板部が異なる別の仮固定金具を説明する説明図。
【発明を実施するための形態】
【００４４】
この発明の一実施形態を以下図面と共に説明する。  
まず、本実施形態における滑り支承装置１について、図１から図５を用いて説明する。  
なお、図１は上部構造物３、及び下部構造物２に固定された状態の滑り支承装置１の正面図を示し、図２は上方視における上沓２０、及び下沓１０の外観斜視図を示し、図３は下方視における上沓２０の外観斜視図を示し、図４は上沓２０が第１の所定位置に位置する場合における滑り支承装置１の平面図を示し、図５は上沓２０が第２の所定位置に位置する場合における滑り支承装置１の平面図を示している。
【００４５】
また、図１中の上側を上方とし、図１中の下側を下方とする。さらに、図２及び図３中において、図示を明確にするため、固定ボルト４，６、アイボルト１３、仮固定ボルト５，７を一部のみ図示している。
【００４６】
滑り支承装置１は、図１に示すように、例えば、高層ビルのような免震構造物において、コンクリート製の基礎部分などの下部構造物２と、建物部分などの上部構造物３との間に配設されている。
【００４７】
このような滑り支承装置１は、図１に示すように、下部構造物２に固定される下沓１０と、下沓１０の上面における所定位置に載置されるとともに、上部構造物３に固定される上沓２０とで構成している。
【００４８】
さらに、滑り支承装置１は、下沓１０と上沓２０との接触部分（後述する下沓１０の平滑面１２ａと上沓２０の平滑面２２ａとの接触部分）を摺動面として、摺動面に沿った方向、すなわち水平方向に沿って摺動可能に構成している。
【００４９】
より詳しくは、下沓１０は、図２に示すように、下部構造物２に載置固定される平面視略正方形のベースプレート１１と、ベースプレート１１の上面に装着固定されたスライドプレート１２とで構成している。
【００５０】
ベースプレート１１は、図２に示すように、例えば、表面が研磨されたステンレス鋼や表面がＰＴＦＥ材でコーティングされたステンレス鋼などの鉄鋼製であって、上下方向に所定の厚みを有する略平板状に形成している。このベースプレート１１には、下部構造物２に螺合する固定ボルト４が挿通する１２個のボルト挿通孔１１ａと、吊上げ用のアイボルト１３が螺合する４つのアイボルト用ネジ孔１１ｂと、後述する仮固定金具３０を固定するための仮固定ボルト５が螺合する４つの仮固定用ネジ孔１１ｃとが形成されている。
【００５１】
ボルト挿通孔１１ａは、図２に示すように、ベースプレート１１の対角線上におけるベースプレート１１の角部近傍と、角部近傍から外周縁に沿って所定間隔だけ隔てた位置とに開口形成している。  
アイボルト用ネジ孔１１ｂは、図２に示すように、ベースプレート１１の対角線上において、ボルト挿通孔１１ａよりもベースプレート１１の略中央側に形成している。  
仮固定用ネジ孔１１ｃは、図２に示すように、ベースプレート１１の対角線上において、アイボルト用ネジ孔１１ｂよりもベースプレート１１の略中央側に形成している。
【００５２】
スライドプレート１２は、図２に示すように、ベースプレート１１よりも一回り小さい平面視略正方形における角部を切り落とした形状に形成している。このスライドプレート１２は、自己潤滑性を有するとともに、低摩擦係数の平滑面１２ａを有する略シート状であって、圧縮強度の高い充填剤入りＰＴＦＥ材またはポリアミド材で構成している。なお、スライドプレート１２は、ベースプレート１１に対してビス１４を用いて締結固定している。
【００５３】
一方、上沓２０は、下沓１０の平面視略中央に載置した状態で、上部構造物３に固定している。この上沓２０は、図２及び図３に示すように、上部構造物３に固定されるベースポット２１と、ベースポット２１の下面に装着固定されたベアリング２２とで構成している。
【００５４】
ベースポット２１は、図２及び図３に示すように、例えば、ＳＳ４００やステンレス鋼などの鉄鋼製であって、上部構造物３に固定されるポット上部２１１と、ポット上部２１１から下方に延設したポット下部２１２とで一体形成している。
【００５５】
ポット上部２１１は、図２及び図３に示すように、下沓１０のスライドプレート１２よりも小さい外径を有するとともに、上下方向に所定の厚みを有する略円板状に形成している。このポット上部２１１には、上部構造物３に螺合する固定ボルト６が挿通する１２個のボルト挿通孔２１ａと、後述する仮固定金具３０を固定するための仮固定ボルト７が螺合する４つの仮固定用ネジ孔２１ｂとが形成されている。
【００５６】
ボルト挿通孔２１ａは、図２及び図３に示すように、ポット上部２１１の周方向に沿って等間隔を隔てて開口形成している。  
仮固定用ネジ孔２１ｂは、図３に示すように、ポット上部２１１の周方向で隣接するボルト挿通孔２１ａの間に位置するように、ポット上部２１１の周方向に沿って等間隔を隔てて形成している。
【００５７】
ポット下部２１２は、図３に示すように、ポット上部２１１よりも小さい外径を有する略円筒状であって、ポット上部２１１に対して略同軸上に配置するように一体形成している。このポット下部２１２の内部には、例えば、合成ゴムなどで形成された弾性を有するピストン（図示省略）が嵌合している。
【００５８】
ベアリング２２は、図３に示すように、ベースポット２１のポット下部２１２よりも小さい底面視略円形状であって、ポット下部２１２の内部に配置したピストンの下面に貼付している。このベアリング２２は、自己潤滑性を有するとともに、低摩擦係数の平滑面２２ａを有する略シート状であって、圧縮強度の高い充填剤入りＰＴＦＥ材またはポリアミド材で構成している。
【００５９】
上述した構成の上沓２０は、上下方向を回転中心とした回動方向における位置が所望される位置に位置する状態において、下沓１０に載置される。そして、滑り支承装置１は、下沓１０と上沓２０との相対位置が調整された状態で、出荷及び運搬される。
【００６０】
例えば、上沓２０は、図４に示すように、平面視において、上沓２０の仮固定用ネジ孔２１ｂが下沓１０の対角線上に位置する状態で、下沓１０に載置される。なお、この下沓１０に対する上沓２０の位置を第１の所定位置とする。
【００６１】
あるいは、上沓２０は、図５に示すように、平面視において、上沓２０のボルト挿通孔２１ａが下沓１０の対角線上に位置するように、第１の所定位置に対して平面視反時計回りに上沓２０を１５°回動させた状態で、下沓１０に載置される。なお、この下沓１０に対する上沓２０の位置を第２の所定位置とする。
【００６２】
このように滑り支承装置１は、同一形状、及び同一の大きさの下沓１０、及び上沓２０であっても、回動方向における上沓２０の位置を変更することで、下沓１０の仮固定用ネジ孔１１ｃと、上沓２０の仮固定用ネジ孔２１ｂとの間隔を異ならせることが可能に構成されている。
【００６３】
なお、上沓２０の仮固定用ネジ孔２１ｂ、及び下沓１０の仮固定用ネジ孔１１ｃの平面視における間隔は、上沓２０が第１の所定位置に位置する場合に比べて、上沓２０が第２の所定位置に位置する場合の方が長いものとする。
【００６４】
次に、本実施形態における仮固定金具３０について、図６から図９を用いて詳しく説明する。  
なお、図６は上沓２０が第１の所定位置に位置する場合における滑り支承装置１の正面図を示し、図７は第１の固定部間隔Ｌ１における仮固定金具３０の分解斜視図を示し、図８は第２の固定部間隔Ｌ２における仮固定金具３０の分解斜視図を示し、図９は長手方向Ｘにおける第１固定部３１１と第２固定部３２１との間隔を説明する説明図を示している。
【００６５】
本実施形態における仮固定金具３０は、図４及び図５に示すように、第１の所定位置、または第２の所定位置に位置する上沓２０の仮固定用ネジ孔２１ｂと、下沓１０の仮固定用ネジ孔１１ｃとを連結可能に構成している。
【００６６】
なお、平面視において、上沓２０の仮固定用ネジ孔２１ｂと下沓１０の仮固定用ネジ孔１１ｃとを結ぶ仮想直線に沿うとともに、滑り支承装置１の摺動面に略平行な方向を、仮固定金具３０における長手方向Ｘとし、長手方向Ｘにおける上沓２０の仮固定用ネジ孔２１ｂ側を内方側、長手方向Ｘにおける下沓１０の仮固定用ネジ孔１１ｃ側を外方側とする。
【００６７】
詳述すると、仮固定金具３０は、図６及び図７に示すように、下沓１０におけるベースプレート１１の上面に固定される第１固定部材３１と、上沓２０におけるポット上部２１１の下面に固定される第２固定部材３２と、第１固定部材３１、及び第２固定部材３２を連結する二組の連結ボルト３３及び連結ナット３４とで構成している。
【００６８】
第１固定部材３１は、図６及び図７に示すように、上下方向に所定の厚みを有するとともに、滑り支承装置１の摺動面に対して略平行な上面及び下面を有する略帯状平板を、略クランク状に屈曲させた形状に形成している。なお、第１固定部材３１は、例えば、ＳＳ４００やステンレス鋼などの鉄鋼材で形成されているものとする。
【００６９】
具体的には、第１固定部材３１は、図６及び図７に示すように、ベースプレート１１の上面に対して固定される平面視略矩形の第１固定部３１１と、第１固定部３１１における長手方向Ｘの内方側を上方へ向けて延設した延設部３１２と、延設部３１２の上端から長手方向Ｘの内方側へ向けて、第１固定部３１１よりも長い平面視略矩形に延設した第１平板部３１３とで一体形成している。
【００７０】
第１固定部３１１には、図７に示すように、下沓１０の仮固定用ネジ孔１１ｃに螺合する仮固定ボルト５が挿通するボルト挿通孔３１１ａを１つ開口形成している。
【００７１】
第１平板部３１３における長手方向Ｘの内方側には、図７に示すように、連結ボルト３３が挿通する挿通孔を、長手方向Ｘに沿って等間隔で３つ開口形成している。なお、３つの挿通孔は、長手方向Ｘの内方側から順に第１下方挿通孔３１３ａ、第２下方挿通孔３１３ｂ、及び第３下方挿通孔３１３ｃとする。
【００７２】
また、第２固定部材３２は、図６及び図７に示すように、上下方向に所定の厚みを有するとともに、滑り支承装置１の摺動面に対して略平行な上面及び下面を有する平面視略矩形の略平板状に形成している。なお、第２固定部材３２は、例えば、ＳＳ４００やステンレス鋼などの鉄鋼材で形成されているものとする。
【００７３】
具体的には、第２固定部材３２は、図６及び図７に示すように、ベースポット２１のポット上部２１１の下面に対して固定される第２固定部３２１と、第２固定部３２１から長手方向Ｘの外方側に延設した第２平板部３２２とで一体形成している。
【００７４】
第２固定部３２１には、図７に示すように、ベースポット２１の仮固定用ネジ孔２１ｂに螺合する仮固定ボルト７が挿通するボルト挿通孔３２１ａを１つ開口形成している。
【００７５】
ここで、長手方向Ｘにおける第１固定部３１１のボルト挿通孔３１１ａ、及び第２固定部３２１のボルト挿通孔３２１ａの間隔が、第１の所定位置に位置する上沓２０の仮固定用ネジ孔２１ｂ、及び下沓１０の仮固定用ネジ孔１１ｃの平面視における間隔と略同等となる間隔を第１の固定部間隔Ｌ１とする（図９（ａ）を参照）。
【００７６】
また、長手方向Ｘにおける第１固定部３１１のボルト挿通孔３１１ａ、及び第２固定部３２１のボルト挿通孔３２１ａの間隔が、第２の所定位置に位置する上沓２０の仮固定用ネジ孔２１ｂ、及び下沓１０の仮固定用ネジ孔１１ｃの平面視における間隔と略同等となる間隔を第２の固定部間隔Ｌ２とする（図９（ｂ）を参照）。
【００７７】
第２平板部３２２は、図７から図９に示すように、第１固定部３１１、及び第２固定部３２１の間隔が第１の固定部間隔Ｌ１、または第２の固定部間隔Ｌ２の状態において、第１固定部材３１における第１平板部３１３の上面に重合可能な長手方向Ｘの長さで、第２固定部３２１から延設している。
【００７８】
この第２平板部３２２における長手方向Ｘの外方側には、図７に示すように、連結ボルト３３が挿通する挿通孔を、長手方向Ｘに沿って３つ開口形成している。なお、３つの挿通孔は、長手方向Ｘの外方側から順に第１上方挿通孔３２２ａ、第２上方挿通孔３２２ｂ、及び第３上方挿通孔３２２ｃとする。
【００７９】
第１上方挿通孔３２２ａは、図７及び図９（ａ）に示すように、長手方向Ｘにおける第１固定部３１１と第２固定部３２１との間隔が第１の固定部間隔Ｌ１の状態において、第１固定部材３１の第３下方挿通孔３１３ｃと連通する位置に開口形成している。
【００８０】
第３上方挿通孔３２２ｃは、長手方向Ｘにおける第１下方挿通孔３１３ａと第３下方挿通孔３１３ｃとの間隔に対して、第１上方挿通孔３２２ａからの間隔が短くなる位置に開口形成している。
【００８１】
詳述すると、第３上方挿通孔３２２ｃは、図８及び図９（ｂ）に示すように、長手方向Ｘにおける第１固定部３１１と第２固定部３２１との間隔が第２の固定部間隔Ｌ２の状態において、第１固定部材３１の第１下方挿通孔３１３ａと連通する位置に開口形成している。
【００８２】
第２上方挿通孔３２２ｂは、図７から図９に示すように、長手方向Ｘに長い平面視略長楕円形状に開口形成している。この第２上方挿通孔３２２ｂは、第３下方挿通孔３１３ｃ、及び第１上方挿通孔３２２ａが連通する状態において、第２下方挿通孔３１３ｂと連通する位置に開口した挿通孔と、第１下方挿通孔３１３ａ、及び第３上方挿通孔３２２ｃが連通する状態において、第２下方挿通孔３１３ｂと連通する位置に開口した挿通孔とを、一体的に開口して形成している。
【００８３】
そして、第１の所定位置に上沓２０が位置する滑り支承装置１に装着する場合、仮固定金具３０は、図７に示すように、二組のうち一方の連結ボルト３３を、第３下方挿通孔３１３ｃ、及び第１上方挿通孔３２２ａに挿通し、他方の連結ボルト３３を、第２下方挿通孔３１３ｂ、及び第２上方挿通孔３２２ｂにおける長手方向Ｘの内方側に挿通して、第１固定部材３１と第２固定部材３２とを連結している。
【００８４】
また、第２の所定位置に上沓２０が位置する滑り支承装置１に装着する場合、仮固定金具３０は、図８に示すように、二組のうち一方の連結ボルト３３を、第１下方挿通孔３１３ａ、及び第３上方挿通孔３２２ｃに挿通し、他方の連結ボルト３３を、第２下方挿通孔３１３ｂ、及び第２上方挿通孔３２２ｂにおける長手方向Ｘの外方側に挿通して、第１固定部材３１と第２固定部材３２とを連結している。
【００８５】
つまり、第１固定部材３１の第１下方挿通孔３１３ａ、第２下方挿通孔３１３ｂ、及び第３下方挿通孔３１３ｃと、第２固定部材３２の第１上方挿通孔３２２ａ、第２上方挿通孔３２２ｂ、及び第３上方挿通孔３２２ｃと、二組の連結ボルト３３、及び連結ナット３４とによって、仮固定金具３０は、滑り支承装置１の摺動面に略水平な長手方向Ｘに沿って、第１固定部３１１、及び第２固定部３２１の間隔を調整可能な連結手段を構成している。
【００８６】
このようにして第１固定部３１１及び第２固定部３２１の間隔が調整された仮固定金具３０で、第１の所定位置、または第２の所定位置に位置する上沓２０と、下沓１０とを連結して仮固定する。
【００８７】
以上のような構成の仮固定金具３０は、上沓２０の仮固定用ネジ孔２１ｂと下沓１０の仮固定用ネジ孔１１ｃとの間隔が異なる滑り支承装置１における上沓２０、及び下沓１０の連結に共用することができる。
【００８８】
具体的には、第１平板部３１１と第２平板部３２１とを連結する連結手段により、仮固定金具３０は、摺動面に交差する方向における第１固定部３１１と第２固定部３２１との間隔を変化させることなく、摺動面に略平行な方向における第１固定部３１１と第２固定部３２１との間隔を容易に調整することができる。
【００８９】
さらに、下沓１０の仮固定用ネジ孔１１ｃと上沓２０の仮固定用ネジ孔２１ｂとの間隔は、例えば、摺動面に対して交差する交差方向に比べて、摺動面に略平行な方向のほうがより正確に計測し易い。
【００９０】
このため、例えば、摺動面に対して交差する交差方向に沿って第１固定部３１１と第２固定部３２１との間隔を調整可能な連結手段の場合、仮固定金具３０における第１固定部３１１と第２固定部３２１との間隔を、所望される間隔に調整し難いという問題があった。
【００９１】
これに対して、摺動面に略平行な方向に沿って第１固定部３１１と第２固定部３２１との間隔を調整できるため、連結手段は、第１固定部３１１と第２固定部３２１との間隔を所望される間隔に、正確、かつ容易に調整することができる。
【００９２】
これにより、仮固定金具３０は、上沓２０の仮固定用ネジ孔２１ｂと下沓１０の仮固定用ネジ孔１１ｃとの間隔が異なる滑り支承装置１に対して適用できるだけでなく、滑り支承装置１の上沓２０と下沓１０とを所望される相対位置で連結することができる。
【００９３】
従って、仮固定金具３０は、下沓１０に固定される第１固定部３１１と、上沓２０に固定される第２固定部３２１との間隔を調整できる連結手段により、上沓２０の仮固定用ネジ孔２１ｂと下沓１０の仮固定用ネジ孔１１ｃとの間隔が異なる滑り支承装置１における上沓２０、及び下沓１０の連結に共用することができる。
【００９４】
また、上下方向に厚みを有する略平板状に形成された第１平板部３１３、及び第２平板部３２２としたことにより、仮固定金具３０は、上部構造物３及び下部構造物２に滑り支承装置１が固定されるまで、上沓２０と下沓１０とが連結された連結状態を維持することができる。
【００９５】
具体的には、例えば、滑り支承装置１の摺動面に略平行な水平方向に厚みを有する略平板状の第１平板部の端部、及び第２平板部の端部が、上沓２０よりも上方へ突出している場合、第１平板部の端部、及び第２平板部の端部が上部構造物３に干渉するため、仮固定金具は、上部構造物３に上沓２０が固定されるまで、上沓２０と下沓１０とが連結された連結状態を維持することができない。
【００９６】
これに対して、上下方向に厚みを有する略平板状の第１平板部３１３、及び第２平板部３２２としたことにより、仮固定金具３０は、上沓２０よりも上方へ第１平板部３１３及び第２平板部３２２が突出することを抑制できる。
【００９７】
このため、仮固定金具３０は、第１平板部３１３及び第２平板部３２２と、上部構造物３との干渉を防止でき、上部構造物３及び下部構造物２への滑り支承装置１の固定を阻害することがない。
【００９８】
従って、仮固定金具３０は、上下方向に厚みを有する略平板状の第１平板部３１３、及び第２平板部３２２により、上部構造物３及び下部構造物２に滑り支承装置１が固定されるまで、上沓２０と下沓１０とが連結された連結状態を維持することができる。
【００９９】
また、上下方向に厚みを有する略平板状の第２固定部材３２と、第１固定部３１１に対して上方へオフセットした位置に形成された略平板状の第１平板部３１３を有する第１固定部材３１とにより、仮固定金具３０は、下沓１０と第１平板部３１３との間に所定の空間を確保することができる。
【０１００】
このため、仮固定金具３０は、下沓１０と上沓２０とを連結した状態における第１固定部３１１、及び第２固定部３２１の間隔の調整にかかる作業空間を容易に確保することができる。  
さらに、仮固定金具３０は、下沓２０の下面に固定される第２固定部材３２の着脱にかかる作業空間を確保することができる。
【０１０１】
これにより、仮固定金具３０は、連結手段による第１固定部３１１と第２固定部３２１との間隔の調整、及び第２固定部材３２の着脱にかかる作業性を向上することができる。
【０１０２】
加えて、上下方向における第１固定部３１１と第１平板部３１３との間隔が異なる第１固定部材３１に交換することで、仮固定金具３０は、長手方向Ｘだけでなく、上下方向における第１固定部３１１と第２固定部３２１との間隔を容易に調整することができる。
【０１０３】
さらにまたは、仮固定金具３０は、クランク状に屈曲した第１固定部材と、クランク状に屈曲した第２固定部材と、連結手段とで構成された仮固定金具に比べて、第２固定部材３２の屈曲箇所を低減することができる。
【０１０４】
これにより、仮固定金具３０は、第２固定部材３２の剛性を向上することができる。このため、仮固定金具３０は、例えば車両やクレーンなどを用いた運搬に伴う揺動によって上沓２０の荷重が加わった際、第２固定部材３２に変形が生じることを防止できる。
【０１０５】
従って、仮固定金具３０は、作業性の向上と第２固定部材３２の剛性の向上とを両立できるとともに、上下方向における上沓２０の仮固定用ネジ孔２１ｂと下沓１０の仮固定用ネジ孔１１ｃとの間隔が異なる滑り支承装置１の上沓２０、及び下沓１０の連結にも共用することができる。
【０１０６】
また、第１平板部３１３に開口形成された第１下方挿通孔３１３ａ、第２下方挿通孔３１３ｂ、及び第３下方挿通孔３１３ｃと、第２平板部３２２に開口形成された第１上方挿通孔３２２ａ、第２上方挿通孔３２２ｂ、及び第３上方挿通孔３２２ｃと、二組の連結ボルト３３及び連結ナット３４とで、連結手段を構成したことにより、連結手段は、ボルトが挿通する挿通孔の組合せを変えることで、長手方向Ｘにおける第１固定部３１１と第２固定部３２１との間隔を切替えるようにして容易に調整することができる。
【０１０７】
さらに、連結手段は、長手方向Ｘにおける第１固定部３１１と第２固定部３２１との間隔を、複数の仮固定金具３０の間で略同一にすることができる。このため、下沓１０の略中央に上沓２０を配置する際、仮固定金具３０は、所望される相対位置で上沓２０と下沓１０とを容易に連結することができる。
【０１０８】
従って、仮固定金具３０は、長手方向Ｘにおける第１固定部３１１と第２固定部３２１との間隔をより容易に調整できるとともに、下沓１０と上沓２０との相対位置のズレをより抑制して、上沓２０と下沓１０とを連結することができる。
【０１０９】
また、上述した仮固定金具３０によって、下沓１０と上沓２０とが、複数箇所で連結されたことにより、下沓１０と上沓２０との相対位置が所望される位置に調整された状態において、下沓１０と上沓２０とが仮固定された滑り支承装置１を構成することができる。
【０１１０】
この発明の構成と、上述の実施形態との対応において、
この発明の下沓、及び上沓の接触面は、実施形態の下沓１０の平滑面１２ａと上沓２０の平滑面２２ａとの接触面に対応し、
以下同様に、
滑り支承用仮固定金具は、仮固定金具３０に対応し、
下沓の被固定部は、下沓１０の仮固定用ネジ孔１１ｃに対応し、
上沓の被固定部は、上沓２０の仮固定用ネジ孔２１ｂに対応し、
摺動面に対して略平行な方向は、長手方向Ｘに対応し、
連結手段は、第１固定部材３１の第１下方挿通孔３１３ａ、第２下方挿通孔３１３ｂ、及び第３下方挿通孔３１３ｃと、第２固定部材３２の第１上方挿通孔３２２ａ、第２上方挿通孔３２２ｂ、及び第３上方挿通孔３２２ｃと、連結ボルト３３及び連結ナット３４とに対応し、
摺動面に対して略直交する方向は、上下方向に対応し、
少なくとも３つの第１挿通孔は、第１下方挿通孔３１３ａ、第２下方挿通孔３１３ｂ、及び第３下方挿通孔３１３ｃに対応し、
少なくとも３つの第２挿通孔は、第１上方挿通孔３２２ａ、第２上方挿通孔３２２ｂ、及び第３上方挿通孔３２２ｃに対応し、
少なくとも二組のボルト及びナットは、連結ボルト３３及び連結ナット３４に対応するが、
この発明は、上述の実施形態の構成のみに限定されるものではなく、多くの実施の形態を得ることができる。
【０１１１】
例えば、上述した実施形態において、平面視略正方形の下沓１０としたが、これに限定せず、例えば、平面視略矩形、平面視略円形、あるいは平面視略楕円形などの適宜の形状の下沓としてもよい。  
また、平面視略円形状の上沓２０としたが、これに限定せず、例えば、平面視略矩形や平面視略正方形などの適宜の形状の上沓としてもよい。  
また、下部構造物２に螺合する固定ボルト４が挿通する１２個のボルト挿通孔１１ａを有するベースプレート１１、及び上部構造物３に螺合する固定ボルト６が挿通する１２個のボルト挿通孔２１ａを有するベースポット２１としたが、これに限定せず、ベースプレート１１のボルト挿通孔１１ａの数、及びベースポット２１のボルト挿通孔２１ａの数は、それぞれ滑り支承装置１の大きさに応じた任意の数でよい。
【０１１２】
また、下沓１０の平面視略中央に上沓２０を配置した滑り支承装置１としたが、これに限定せず、平面視において、下沓１０の略中央に対して所定間隔だけオフセットした位置に上沓２０を配置した滑り支承装置としてもよい。この場合、長手方向Ｘにおける第１固定部３１１と第２固定部３２１との間隔が異なる仮固定金具３０を組み合わせて、下沓１０と上沓２０とを連結する。
【０１１３】
また、下沓１０と上沓２０とを４つの仮固定金具３０で連結したが、これに限定せず、少なくとも２つ以上、より好ましくは３つ以上の仮固定金具３０で連結する構成であればよい。  
また、下沓１０におけるベースプレート１１の上面に第１固定部材３１を固定したが、これに限定せず、ベースプレート１１の側面に固定される第１固定部材としてもよい。  
また、上沓２０におけるポット上部２１１の底面に第２固定部材３２を固定したが、これに限定せず、ポット上部２１１の側面に固定される第２固定部材としてもよい。
【０１１４】
また、平面視略長楕円形状の第２上方挿通孔３２２ｂを有する第２固定部材３２としたが、これに限定せず、第３下方挿通孔３１３ｃ、及び第１上方挿通孔３２２ａが連通する状態において、第２下方挿通孔３１３ｂと連通する位置に開口した平面視略円形状の挿通孔と、第１下方挿通孔３１３ａ、及び第３上方挿通孔３２２ｃが連通する状態において、第２下方挿通孔３１３ｂと連通する位置に開口した平面視略円形状の挿通孔とを有する第２固定部材としてもよい。
【０１１５】
また、第１固定部材３１と第２固定部材３２とを二組の連結ボルト３３及び連結ナット３４を用いて連結したが、これに限定せず、第１固定部材３１または第２固定部材３２のいずれか一方に設けたスタッドボルトと、スタッドボルトに螺合するナットとで、第１固定部材３１と第２固定部材３２とを連結する構成としてもよい。あるいは、アイボルトやＵボルトを用いて第１固定部材３１と第２固定部材３２とを連結する構成としてもよい。
【０１１６】
また、長手方向Ｘにおける第１固定部３１１と第２固定部３２１との間隔を、第１の固定部間隔Ｌ１と第２の固定部間隔Ｌ２との２種類に調整可能な仮固定金具３０としたが、これに限定せず、長手方向Ｘにおける第１固定部３１１と第２固定部３２１との間隔を３種類以上の間隔に調整可能な仮固定金具としてもよい。なお、この場合であっても、第１固定部材３１と第２固定部材３２とは、少なくとも二組の連結ボルト３３及び連結ナット３４を用いて連結されることが好ましい。
【０１１７】
また、略クランク状に屈曲した第１固定部材３１と略平板状の第２固定部材３２とを連結した仮固定金具３０としたが、これに限定せず、上下方向で第１平板部３１３と第２平板部３２２とが重合する構成であれば、適宜の形状の第１固定部材、及び第２固定部材を備えた仮固定金具としてもよい。
【０１１８】
例えば、第１固定部材、及び第２固定部材が異なる別の仮固定金具を説明する説明図を示す図１０（ａ）の仮固定金具４０のように、上沓２０と下沓１０との間における上下方向略中央で第１平板部４１３、及び第２平板部４２２が重合可能に、第１固定部４１１、及び第１平板部４１３の間を略クランク状に屈曲させた平面視略矩形の第１固定部材４１と、第２固定部４２１、及び第２平板部４２２の間を略クランク状に屈曲させた平面視略矩形の第２固定部材４２とを連結する構成であってもよい。
【０１１９】
あるいは、第１固定部材、及び第２固定部材が異なる別の仮固定金具を説明する説明図を示す図１０（ｂ）の仮固定金具５０のように、第１固定部５１１と第１平板部５１３との間に傾斜した傾斜部５１４を有する第１固定部材５１、及び第２固定部５２１と第２平板部５２２との間に傾斜した傾斜部５２３を有する第２固定部材５２を連結した構成としてもよい。
【０１２０】
また、第１固定部材３１の第１下方挿通孔３１３ａ、第２下方挿通孔３１３ｂ、及び第３下方挿通孔３１３ｃと、第２固定部材３２の第１上方挿通孔３２２ａ、第２上方挿通孔３２２ｂ、及び第３上方挿通孔３２２ｃと、連結ボルト３３及び連結ナット３４とで構成した連結手段としたが、これに限定せず、下沓１０の仮固定用ネジ孔１１ｃと上沓２０の仮固定用ネジ孔２１ｂとの間隔に応じて、長手方向Ｘにおける第１固定部と第２固定部との間隔を調整可能な構成の連結手段であれば、適宜の連結手段としてもよい。
【０１２１】
例えば、連結手段が異なる別の仮固定金具を説明する説明図を示す図１１（ａ）の仮固定金具６０のように、中間部材６３を介して第１固定部材６１と第２固定部材６２とを連結する構成としてもよい。
【０１２２】
この場合、第１固定部材６１、及び第２固定部材６２は、第１固定部６１１、及び第２固定部６２１の間隔が第１の固定部間隔Ｌ１、または第２の固定部間隔Ｌ２の状態において、第１平板部６１３と第２平板部６２２とが重合しない長手方向Ｘの長さで形成している。
【０１２３】
さらに、仮固定金具６０は、第１平板部６１３と中間部材６３とを締結する連結ボルト６４が挿通する挿通孔、及び第２平板部６２２と中間部材６３を締結する連結ボルト６４が挿通する挿通孔を、平面視略円形状に形成している。  
そして、長手方向Ｘの長さが異なる中間部材６３に交換することで、仮固定金具６０は、長手方向Ｘにおける第１固定部６１１と第２固定部６２１との間隔を調整する。
【０１２４】
つまり、仮固定金具６０は、第１平板部６１３の挿通孔と、第２平板部６２２の挿通孔と、中間部材６３と、連結ボルト６４及び連結ナット６５とで、第１固定部材６１と第２固定部材６２とを連結する連結手段を構成している。これにより、仮固定金具６０は、長手方向Ｘにおける第１固定部６１１と第２固定部６２１との間隔を調整することができる。
【０１２５】
あるいは、連結手段が異なる別の仮固定金具を説明する説明図を示す図１１（ｂ）の仮固定金具７０のように、上沓２０と下沓１０との間における上下方向略中央で第１平板部７１３、及び第２平板部７２２が重合可能に、第１固定部７１１、及び第１平板部７１３の間を略クランク状に屈曲させた平面視略矩形の第１固定部材７１と、第２固定部７２１、及び第２平板部７２２の間を略クランク状に屈曲させた平面視略矩形の第２固定部材７２とを、適宜の保持部材７３で連結する構成であってもよい。
【０１２６】
さらに、この仮固定金具７０における第１平板部７１３の上面には、長手方向Ｘに沿って連続する凹凸部分である下方凹凸部分７１４が形成されている。一方、第２平板部７２２の下面には、長手方向Ｘに沿って連続するとともに、下方凹凸部分７１４に係合可能な凹凸部分である上方凹凸部分７２３が形成されている。
【０１２７】
そして、仮固定金具７０は、下方凹凸部分７１４と上方凹凸部分７２３との係合位置を変更することで、長手方向Ｘにおける第１固定部７１１と第２固定部７２１との間隔を調整する。
【０１２８】
つまり、仮固定金具７０は、第１平板部７１３の下方凹凸部分７１４と、第２平板部７２２の上方凹凸部分７２３と、保持部材７３とで、第１固定部材７１と第２固定部材７２とを連結する連結手段を構成している。これにより、仮固定金具７０は、長手方向Ｘにおける第１固定部７１１と第２固定部７２１との間隔を調整することができる。
【０１２９】
また、上下方向に厚みを有する第１平板部３１３、及び第２平板部３２２を連結する構成としたが、これに限定せず、水平方向に厚みを有する第１平板部及び第２平板部を連結する構成としてもよい。
【０１３０】
例えば、第１平板部、及び第２平板部が異なる別の仮固定金具を説明する説明図を示す図１２の仮固定金具８０のように、第１固定部８１１に対して９０°捻じって形成した第１平板部８１３を有する第１固定部材８１と、第２固定部８２１に対して９０°捻じって形成した第２平板部８２２を有する第２固定部材８２とを連結する構成としてもよい。
【０１３１】
この場合であっても、仮固定金具８０は、滑り支承装置１の摺動面に略平行な水平方向に沿って、第１固定部８１１と第２固定部８２１との間隔を調整することができる。さらに、仮固定金具８０は、上下方向を回転軸とする上沓２０の回動方向に対して、第１平板部８１３と第２平板部８２２との対向面部分を交差させることができる。
【０１３２】
このため、クレーンなどを用いて滑り支承装置１を運搬する際、回動方向への上沓２０の荷重が連結手段に加わった場合であっても、仮固定金具８０は、座面すべりによる連結ボルト８３及び連結ナットの緩みを防止することができる。
【０１３３】
また、二組の連結ボルト３３及び連結ナット３４を用いて、第１平板部３１３と第２平板部３２２とを連結したが、これに限定せず、第１平板部または第２平板部のいずれか一方に連結ボルトが挿通する挿通孔、及び他方へ向けて突出した突起部を設け、他方に連結ボルトが挿通する挿通孔、及び突起部が挿通する挿通孔を設けた構成としてもよい。
【符号の説明】
【０１３４】
１…滑り支承装置
２…下部構造物
３…上部構造物
１０…下沓
１１ｃ…仮固定用ネジ孔
２０…上沓
２１ｂ…仮固定用ネジ孔
３０，４０，５０，６０，７０，８０…仮固定金具
３１，４１，５１，６１，７１，８１…第１固定部材
３２，４２，５２，６２，７２，８２…第２固定部材
３３，６４，８３…連結ボルト
３４，６５…連結ナット
６３…中間部材
７３…保持部材
３１１，４１１，５１１，６１１，７１１，８１１…第１固定部
３１３，４１３，５１３，６１３，７１３，８１３…第１平板部
３１３ａ…第１下方挿通孔
３１３ｂ…第２下方挿通孔
３１３ｃ…第３下方挿通孔
３２１，４２１，５２１，６２１，７２１，８２１…第２固定部
３２２，４２２，５２２，６２２，７２２，８２２…第２平板部
３２２ａ…第１上方挿通孔
３２２ｂ…第２上方挿通孔
３２２ｃ…第３上方挿通孔
７１４…下方凹凸部分
７２３…上方凹凸部分
Ｘ…長手方向
【図１】
0006660747.tif 000002
【図２】
0006660747.tif 000003
【図３】
0006660747.tif 000004
【図４】
0006660747.tif 000005
【図５】
0006660747.tif 000006
【図６】
0006660747.tif 000007
【図７】
0006660747.tif 000008
【図８】
0006660747.tif 000009
【図９】
0006660747.tif 000010
【図１０】
0006660747.tif 000011
【図１１】
0006660747.tif 000012
【図１２】
0006660747.tif 000013